(57)【特許請求の範囲】
【請求項１】
基端部に直角に折り曲げられた折曲部を形成してなる商品吊下用バーと、下向きに開口するコ字形に形成することで商品陳列棚に係合し得る支持基部材とからなり、前記商品吊下用バーはそれぞれ太さが異なる少なくとも２種類のものがあると共に、その細い方の商品吊下用バーの折曲部は太い方の商品吊下用バーの折曲部よりも長く形成され、前記支持基部材に前記商品吊下用バーの折曲部を差し込み得る上向きに開口した取付孔が形成され、該取付孔の内径は上半部を太い方の商品吊下用バーの外径に合致させ、下半部を細い方の商品吊下用バーの外径に合致させたものにし、さらに、前記支持基部材に前記取付孔の上端開口縁から前方に延びていて内幅が上方に向かいテーパ状に拡開する溝を形成するとともに、該溝の底面を正面から見てＶ字状に形成し、前記各商品吊下用バーの折曲部を前記取付孔に差し込んだ状態で前記各商品吊下用バーの前方に水平に延びる部分が前記溝の底面上に支持されるようにしたことを特徴とする商品陳列用フック。
【発明の詳細な説明】
【技術分野】
【０００１】
本発明は、コンビニエンスストア等の店舗において、商品陳列棚に商品を吊り下げて陳列するための商品陳列用フックに関するもので、さらに詳しくは、商品吊下用バーを着脱自在に支持するための支持基部材の構造に関するものである。
【背景技術】
【０００２】
従来の商品陳列用フックには、下記特許文献１に示されたように、下向きに開口するコ字形に形成することで商品陳列棚に係合し得る支持基部材に商品吊下用バーを溶接により一体に固着してなるものと、下記特許文献２に示されたように、支持基部材に対して商品吊下用バーを着脱自在に差し込み得るようにしたものとに大別される。また、値札等のカード表示体を並設できる商品陳列用フックも特許文献１等により知られている。
【先行技術文献】
【特許文献】
【０００３】
【特許文献１】特開平８−１５００５４号公報
【特許文献２】特開２０００−６０６９８号公報
【発明の開示】
【発明が解決しようとする課題】
【０００４】
ところで、支持基部材に商品吊下用バーを溶接により一体に固着したものは、用途によってその商品吊下用バーの形状を変更したい場合に支持基部材ごと交換しなければならず、そのために予め多種類のものを用意しておく必要があるという問題がある。一般に、商品吊下用バーの太さは、吊り下げる商品の数や重量、あるいはカード表示体の有無等により、外径４ｍｍのものや、外径５ｍｍのもの、あるいは外径６ｍｍのものがあるが、これらの商品吊下用バーを支持基部材に対して商品吊下用バーを着脱自在に差し込み得るようにするためには、支持基部材にその太さに合わせて支持基部材の取付孔の内径をいちいち設定しなければならないという問題がある。即ち、バーの太さと支持基部材の取付孔の内径とを合致させないと、バーがガタ付いたり、あるいはバーを差し込めないこととなるので、上記のように太さの異なる３種類の商品吊下用バーに対応するためには、内径の異なる少なくとも３種類の支持基部材を用意する必要があった。このため、成形コストが掛かるという問題があった。
そこで本発明は、商品吊下用バーの太さが異なっていても問題なく取付できる支持基部材を備えた商品陳列用フックを提供しようとするものである。
【課題を解決するための手段】
【０００５】
そのために請求項１に記載した本発明に係る商品陳列用フックは、基端部に直角に折り曲げられた折曲部を形成してなる商品吊下用バーと、下向きに開口するコ字形に形成することで商品陳列棚に係合し得る支持基部材とからなり、前記商品吊下用バーはそれぞれ太さが異なる少なくとも２種類のものがあると共に、その細い方の商品吊下用バーの折曲部は太い方の商品吊下用バーの折曲部よりも長く形成され、前記支持基部材に前記商品吊下用バーの折曲部を差し込み得る上向きに開口した取付孔が形成され、該取付孔の内径は上域部を太い方の商品吊下用バーの外径に合致させ、下域部を細い方の商品吊下用バーの外径に合致させたものにしたことを特徴とする。
【発明の効果】
【０００６】
本発明によれば、太さの異なる商品吊下用バーでもガタツキなく安定した支持がなされる。このため、商品吊下用バーを用途に応じた太さ（強度）のものに差し替えることができる。即ち、一つのサイズの支持基部材を太さの異なる商品吊下用バーに共用することができるので、部品数が少なくなり、製造および製品管理上のコストを軽減できる。
【図面の簡単な説明】
【０００７】
【図１】本発明に係る３種類の商品吊下用バーの斜視図。
【図２】本発明に係る商品陳列用フックの支持基部材の斜視図。
【図３】本発明に係る商品陳列用フックの支持基部材の平面図。
【図４】本発明に係る商品陳列用フックの支持基部材の正面図。
【図５】本発明に係る商品陳列用フックの支持基部材の側面図。
【図６】本発明に係る商品陳列用フックの支持基部材の縦断面図。
【図７】本発明に係る商品陳列用フックの支持基部材の縦断面図。
【図８】本発明に係る商品陳列用フックの縦断面図。
【図９】本発明に係る商品陳列用フックの縦断面図。
【図１０】本発明に係る商品陳列用フックの縦断面図。
【図１１】本発明に係る商品陳列用フックの斜視図。
【図１２】本発明の他の実施形態を示した商品陳列用フックの支持基部材の平面図。
【図１３】本発明の他の実施形態を示した商品陳列用フックの支持基部材の斜視図。
【発明を実施するための最良の形態】
【０００８】
次に本発明の実施形態を図面に従い説明する。図１は本発明に係る太さの異なる３種類の商品吊下用バー１０ａ，１０ｂ，１０ｃを示す。商品吊下用バー１０ａは、直径６ｍｍの鋼製の棒状体の基端部を略々直角（正確には８９度）の角度で下向きに折り曲げて長さａ＝１９ｍｍの折曲部１１ａを形成するとともに、先端部１２ａを斜め上向きに折り曲げてなるものである。また、商品吊下用バー１０ｂは、直径５ｍｍの鋼製の棒状体の基端部を同じく略々直角（正確には８９度）の角度で下向きに折り曲げて長さｂ＝２８ｍｍの折曲部１１ｂを形成するとともに、先端部１２ｂを斜め上向きに折り曲げてなるものである。また、商品吊下用バー１０ｃは、直径４ｍｍの鋼製の棒状体の基端部を同じく略々直角（正確には８９度）の角度で下向きに折り曲げて長さｃ＝３７ｍｍの折曲部１１ｃを形成するとともに、先端部１２ｃを斜め上向きに折り曲げてなるものである。
【０００９】
また、図２〜図６に本発明に係るプラスチック製の支持基部材２０を示す。この支持基部材２０は、商品陳列棚に係合し得るように下向きに開口するコ字形に形成され、その前面中央部に一体に形成された竪筒状部２１に上向きに開口した取付孔２２が形成され、該取付孔２２の上端開口縁に前方に延びる溝２３が形成されるように半割鞘体２４が一体に形成されている。なお、該溝２３は正面から見て底面がＶ字状に形成され、その内幅ｄは上方に向かい５ｍｍ→６．７ｍｍにテーパ状に拡開している。また、取付孔２２は、図６の断面図に示したように、上域部２２ａが内径６．２ｍｍで深さ約１９ｍｍに形成され、それより下は、内径５．２ｍｍで深さ約２８ｍｍの中域部２２ｂと、深さ約３７ｍｍで内径４．２ｍｍの下域部２２ｃが形成されている。即ち、該取付孔２２の内径は上域部２２ａ、中域部２２ｂ、下域部２２ｃの順に上方から段階的に細くなっている。なお、このように内径が変化する部分は図示したように滑らかに変化するように僅かなテーパ状に形成するのがよい。
またこの実施形態では、各域の丸孔を同心状に形成したが、図７に例示したように一方に偏心状に形成してもよい。
【００１０】
このように構成した支持基部材２０では、商品吊下用バー１０ａの折曲部１１ａを取付孔２２に差し込むと、該折曲部１１ａは図８に示したように上域部２２ａに隙間なく嵌合し、商品吊下用バー１０ｂの折曲部１１ｂを取付孔２２に差し込むと、該折曲部１１ｂは図９に示したように中域部２２ｂに隙間なく嵌合し、商品吊下用バー１０ｃの折曲部１１ｃを取付孔２２に差し込むと、該折曲部１１ｃは図１０に示したように下域部２２ｃに隙間なく嵌合する。このためこの取付孔２２には、太さの異なる３種類の商品吊下用バー１０ａ〜１０ｃのいずれでも、ガタ付きなく差し込むことができる。また、図１１にも示したように、差し込んだ状態でこれらの商品吊下用バー１０ａ〜１０ｃは、前方に水平に延びる部分がＶ字状の溝２３に支持されるので、左右に振れることなく安定し、商品を安定的に吊り下げ支持することができる。なお、図１１中、２８は商品陳列棚の横梁を示す。
【００１１】
一方、図１２、図１３に示した本発明の実施形態は、支持基部材２０は、上記と同様の上域部２２ａ、中域部２２ｂ、下域部２２ｃの順に上方から段階的に細くなった取付孔２２を基部材本体の裏側部分２９の中央部に形成したものであるが、このように取付孔２２は下向きに開口するコ字形の基部材本体の表側部分に形成しても裏側部分に形成してもよい。また、この実施形態では、該取付孔２２の両側に一対のサブ取付孔２２Ａ，２２Ｂを開設し、図１３に示したように、該サブ取付孔２２Ａ，２２Ｂに対して、棒状部材を平面コ字枠状に折り曲げてなる商品吊下用バー３０の両端折曲部３０ａ，３０ｂを差し込み得るようにしている。このように支持基部材２０にサブ取付孔２２Ａ，２２Ｂを形成することにより、該支持基部材２０の利用範囲をさらに広めることができる。なおこの支持基部材２０では基部材本体の上面に上記と同様のバー支持用溝２３が形成されている。
【００１２】
また、図示しないが、商品吊下用バーとしては、カード表示体付きのものなど、必要に応じて既存の種々の形状のものに取り替え使用することができる。このように、本発明の商品陳列用フックは、商品吊下用バーと支持基部材とが別体に設けられたものであるので、一体のもののように予め多種類のものを用意しておかなくても、太さの異なる商品吊下用バーでも要望に従い自由に使用できる利点がある。また、一体のもののように嵩張らないので輸送・保管が容易になるといった利点、および、商品吊下用バーに横方向から衝撃が加わった場合に、該商品吊下用バーが支持基部材上からずれることによりその衝撃が緩和されるので、一体のものよりも破損し難いという利点がある。さらには、商品吊下用バーを支持基部材から抜くことにより、該商品吊下用バーに新しい商品を後方から差し込んで追加することができるので、古い商品から先に販売されるように商品をセットすることができることも、商品吊下用バーと支持基部材とが別体に設けられていることの利点である。
【００１３】
なおこの実施形態では、太さの異なる３種類の商品吊下用バーに対処できるようにしたが、太さの異なる２種類の商品吊下用バーに対処できるようにしても、３種類以上に商品吊下用バーに対処できるようにしてもよいことは勿論であり、その場合、その細い方の商品吊下用バーの折曲部は太い方の商品吊下用バーの折曲部よりも長く形成し、取付孔の内径は上域部を太い方の商品吊下用バーの外径に合致させ、下域部を細い方の商品吊下用バーの外径に合致させることで、ガタツキのない常に安定した取付が可能になる。
【符号の説明】
【００１４】
１０ａ，１０ｂ，１０ｃ    商品吊下用バー
１１ａ，１１ｂ，１１ｃ    折曲部
２０                      支持基部材
２２                      取付孔
２３                      溝
２２ａ                    上域部
２２ｂ                    中域部
２２ｃ                    下域部
【図１】
0005479016.tif 000002
【図２】
0005479016.tif 000003
【図３】
0005479016.tif 000004
【図４】
0005479016.tif 000005
【図５】
0005479016.tif 000006
【図６】
0005479016.tif 000007
【図７】
0005479016.tif 000008
【図８】
0005479016.tif 000009
【図９】
0005479016.tif 000010
【図１０】
0005479016.tif 000011
【図１１】
0005479016.tif 000012
【図１２】
0005479016.tif 000013
【図１３】
0005479016.tif 000014